(57)【要約】  本発明は、武器の構成部品、特に武器のケース構成部品を取り付けるための連結ピン（１）であって、少なくとも一つの支持領域（６ａ、ｂ）を有する武器の構成部品（５１）を支持面（３３ａ、ｂ）に軸方向に、そして少なくとも一つの位置決め領域（５）有する別の武器の構成部品（４９）を位置決め面（３５）に軸方向に取り外し可能に挿入でき、連結ピン（１）から位置決め領域（５）に延在して調整力を位置決め面（３５）にかける、軸方向に調整可能なばね式調節ねじ（１５）が連結ピン（１）の中に位置し、位置決め面（３５）と支持面（３３ａ、ｂ）が調整され、さらに／または、互いに対して連結ピン（１）の設置方向に対して直角に締結される連結ピン（１）に関する。本発明は、さらに、連結ピン（１）を備えた武器とともに、連結ピン（１）を備えた武器ケースに関する。【選択図】図３
2012513013.tif 000002
【特許請求の範囲】
【請求項１】
武器の構成部品（４９、５１）、特に武器のケース構成部品を取り付けるための連結ピン（１）であって、
少なくとも一つの支持領域（６ａ、ｂ）を有する武器の構成部品（５１）を支持面（３３ａ、ｂ）内で軸方向に、そして少なくとも一つの位置決め領域（５）を有する武器の他の構成部品（４９）を位置決め面（３５）内で軸方向に取り外し可能に挿入でき、
それにより、力伝達結合によって調整可能な調節要素（１７）に対して調節ねじ（１５）に直角に作用し、前記連結ピン（１）から前記位置決め領域（５）に延在して調整力を前記位置決め面（３５）にかける、軸方向に調整可能なばね式調節ねじ（１５）が前記連結ピン（１）の中に設けられ、
前記位置決め面（３５）と前記支持面（３３ａ、ｂ）が調整され、さらに／または、互いに対して前記連結ピン（１）の長手の軸に対して直角に締結される連結ピン（１）。
【請求項２】
締結位置と弛緩位置の間で操作装置によって調整可能であり、前記弛緩位置にあるときに、前記連結ピンを前記武器の構成部品（４９、５１）から取り外すこと、またはその内部に設置することが可能であり、前記締結位置にあるときには、前記位置決め面（３５）と前記支持面（３３ａ、ｂ）は調整され、さらに／または互いに対して締結される請求項１に記載の連結ピン（１）。
【請求項３】
二つの支持面（３３ａ、ｂ）の間に位置する位置決め面（３５）を接続するように構成された請求項１または２に記載の連結ピン（１）。
【請求項４】
前記調節ねじ（１５）は、力伝達接続を形成する目的で、前記締結位置にあるときに、前記調節要素（１７）を前記連結ピンケース（５）から半径方向に押すくさび型区間（１８）を有する請求項２または３に記載の連結ピン（１）。
【請求項５】
前記くさび型区間（１８）は、円錐形または円錐台形である請求項４に記載の連結ピン（１）。
【請求項６】
前記連結ピン（１）の少なくとも前記位置決め領域（５）には、対向面（４５ａ）を収容するように設計された、長手の方向に延在する凹部（９）がある請求項１から５のいずれか一つに記載の連結ピン（１）。
【請求項７】
安全要素（２９）によって完全に外れてしまわないように構成された請求項１から６のいずれか一つに記載の連結ピン（１）。
【請求項８】
安全な位置にあるときに、前記安全要素（２９）は、前記連結ピン（１）の凹部（２１）にばね式で係合する請求項７に記載の連結ピン（１）。
【請求項９】
ばね式係止機構が設けられ、少なくとも係止外形（７、２３）によって前記凹部（２１）内の定位置に係止する請求項８に記載の連結ピン（１）。
【請求項１０】
前記安全要素（２９）は、操作装置によって前記凹部（２１）内の係合から解除することができる請求項８または９に記載の連結ピン（１）。
【請求項１１】
請求項１から１０のいずれかに記載の連結ピン（１）を有する武器ケース。
【請求項１２】
請求項１から１０のいずれかに記載の連結ピン（１）を有する武器。
【発明の詳細な説明】
【技術分野】
【０００１】
本発明は、武器の構成部品を取り付けるための連結ピンに関し、特に、武器ケースとこの種の連結ピンを有する武器とともに武器ケースの構成部品に関する。
【背景技術】
【０００２】
一般的に、別体の武器の構成部品を取り付け、接続するため、様々な技術的解決法がある。
【０００３】
武器の構成部品の製造において、武器の構成部品を組み立てる際、武器の構成部品同士の間に遊びが生まれる製造許容差が発生する。この種の遊びは、特に、上側ケース部と下側ケース部のような二つのケース構成部品の間で起こり、武器や、その武器に装着した補助装置の機能に影響を与える。例えば、遊びは、視野の機能、ひいては、武器の照準精度を低減させる場合がある。
【０００４】
この種のケース構成部品間の遊びを補正するため、例えば、上側ケース部と下側ケース部の間に一つ以上の弾性ゴムの埋め込みボルトを配設して、ケース構成部品が接続されると、ゴムの埋め込みボルトが圧縮され、ケース構成部品によって張力を受け、よって遊びを除去することが知られている。ゴムの埋め込みボルトは、連続的に圧力を受けるので、ある程度、永久的に変形され、それにより、その張力や弾性を失って遊びを補正する能力が失われることがある。このため、前記ゴムの埋め込みボルトは、定期的に交換しなければならず、追加のコストがかかる。
【０００５】
ドイツ特許第１０  ２００６  ０１１  ０９９Ｂ４号、オーストリア特許第３２５  ４６３  Ｂ号、および、米国特許第２００８／０２３６０１６  Ａ１号は、さらに、武器の構成部品を互いに接続するさまざまな方法を示している。
【先行技術文献】
【特許文献】
【０００６】
【特許文献１】ドイツ特許第１０  ２００６  ０１１  ０９９Ｂ４号
【特許文献２】オーストリア特許第３２５  ４６３  Ｂ号
【特許文献３】米国特許第２００８／０２３６０１６  Ａ１号
【発明の概要】
【発明が解決しようとする課題】
【０００７】
こうした背景のもと、本発明の目的は、武器の構成部品間の遊びを低減でき、少なくとも部分的に上記の欠点を克服できる、改良された取り付け手段を提供することにある。
【課題を解決するための手段】
【０００８】
この目的は、独立クレームの本旨によって達成できる。さらに有利な設計および好ましい実施形態については、従属クレームに記載する。
【０００９】
請求項１によると、本発明による連結ピンは、少なくとも一つの支持領域を有する一つの武器の構成部品を支持面内で軸方向に、そして少なくとも一つの位置決め領域を有する別の武器の構成部品を位置決め面内で軸方向に取り外し可能に挿入でき、それにより、連結ピンは、調節ねじに対して直角にのびる調整可能な調節要素に対して力伝達結合によって作用し、連結ピンから位置決め領域に延在して調整力を位置決め面にかけ、連結ピンの長手の軸に沿って、位置決め面と支持面を互いに対して調整および／または締結する軸方向に調整可能なばね式調節ねじを備える。
【００１０】
また、請求項１１および１２によると、本発明は、武器ケースと、連結ピンを備えた武器に関する。
【００１１】
位置決め面を支持面に対し、そして連結ピンの長手の軸に対して直角に、すなわちその設置方向に対して直角に締結することにより、位置決め面と支持面との間の製造許容誤差による潜在的な遊びが確実に除去される。少なくとも一つの位置決め領域を有する武器の構成部品上の少なくとも一つの支持面で、別の武器の構成部品に取り付けることにより、単純な構成とすることができる。武器の構成部品は、ケーシングシェル、その上に取り付けたピカティニーレール、あるいは前記ケースに取り付けることが可能なその他の補助装置のように、様々な構成で互いに取り付けが可能な武器の構成部品とすることができる。支持面、支持領域を始め、位置決め領域および位置決め面を適した長さにすることにより、連結ピンが斜めにならないように確実に防ぐことができる。決定した、そして再生可能な調整力を調節ねじと調節要素によって有利に生成して、連結ピンの機能的安全性と信頼性を高めることができる。
【００１２】
本発明の連結ピンはまた、操作装置により、締結位置と弛緩位置との間で調整可能であり、弛緩位置にあるときには、武器の構成部品から連結ピンを取り外すこと、もしくはそこに挿入することが可能であり、締結位置にあるときには、位置決め面を支持領域に対して保持および／または締結する。（請求項２）この実施形態により、一定の取り外しを安全に行うことができ、連結ピンが不本意に取り外されたり、落下したりすることを防ぐことができる。
【００１３】
さらに、本発明の連結ピンは、二つの支持領域の間に位置する位置決め面を取り付けおよび固定するように設計することができる。（請求項３）そのため、本発明の連結ピンは、各側に支持され、よって傾きをより効果的に防ぐとともに支持機能を高めることができる。この場合、位置決め面と位置決め領域と同様に支持面と支持領域の長さをわずかに短くして小型化することができる。この実施形態では、より大幅な調整および引っ張り力をかけることができる。
【００１４】
本発明の連結ピンでは、力伝達取り付け用の調節ねじは、調節要素の締め付け位置において連結ピンケースから半径方向に延在する、くさび型または円錐台形状の設計を有する。（請求項４）この種のくさび型または円錐台形状の部品は、調節ねじの一側もしくは両側の軸方向に沿って延在していてもよい。一般に、調節ねじは、例えば、調節要素に係合して調節要素を連結ピンケースから離れる方向に押すために、丸みを帯びたピンヘッドのような他の適した幾何学的形状を有していてもよい。調節ねじの区間の力伝達結合は、それが片側または両側、もしくは全周にわたって起こるように構成してもよい。くさび型または円錐台型の部品、または調節ねじの、調整スロープとして調節要素と係合する湾曲した有効な面は、これに特に適しているものとして示してきた。
【００１５】
くさび型区間は、円錐形であってもよい。（請求項５）円錐形の設計により、機能的安全性が高まり、調節ねじと調節要素との間の相互作用が改善される。なぜなら、調節ねじは、機能性を損なうことなく連結ピン内のいかなる方向にも回転可能だからである。このようにして、間違った設置を排除する。
【００１６】
本発明の連結ピンでは、相補的な面を収容する目的で連結ピンの少なくとも位置決め領域上の長手の溝を作製することもできる。（請求項６）溝が位置決め面の上方および支持面の中に延在する限り、位置決め面で支持面に対して十分な遊びを確立することができる。あるいは、位置決め面に形成された凹部、例えば、アイレット、ヒンジ孔、あるいはスリーブなどの直径を大きくして適当な量の遊びを提供してもよい。
【００１７】
さらに、本発明の連結ピンは、安全要素によって完全に外れてしまないように構成することができる。（請求項７）このように、単純な手段により紛失が防止され、よって、連結ピンの紛失を確実に防止できる。
【００１８】
安全要素は、ばね式でその安全位置に位置し、連結ピンの凹部と係合してもよい。（請求項８）ばねによる安全要素の係合位置の確立は、容易かつ高費用対効果で有利に達成できる。
【００１９】
本発明の連結ピンでは、安全要素の上に、少なくとも一つのスナップリングにより凹部にスナップ止めするばね式係止機構を設けることもできる。（請求項９）スナップリングは、容易かつ高費用対効果の両方で製造設計に有利に組み込むことができる。
【００２０】
最後に、本発明の連結ピンでは、安全要素は操作装置によって切り離し可能である。（請求項１０）操作装置は、例えば、ピン、ボルト、カートリッジチップ、または他の適した器具でよい。この種の操作装置は、武器が使用されているところであれば典型的に入手可能であるので、別の工具は必要ない。
【００２１】
本発明について、下記に示す例図を使って詳細に説明する。全図面において、同一の参照符号は、同じ要素を示すものである。以下のように示される。
【図面の簡単な説明】
【００２２】
【図１】本発明による連結ピンの、長手方向の断面図であり、武器の構成部品内に完全に挿入され、調節ねじによって締結された位置にある様子を示す。
【図１ａ】図１に示す本発明による連結ピンの断面図（図４のＡ−Ａに沿った断面）であり、調節ねじが弛緩位置にある様子を示す。
【図２】図１の連結ピンの長手方向の断面図であり、９０°回転した状態を示す。
【図３】本発明による連結ピンの長手方向の断面図であり、武器の構成部品内に部分的に挿入された状態を示す。
【図４】図３に示す連結ピンの長手方向の断面図であり、武器の構成部品内に完全に挿入されて弛緩位置にある様子を示す。
【図５】図４に示す連結ピンの長手方向の断面図であり、部分的に分解した状態を示す。
【図６】別の設計の調節ねじを有する、本発明による連結ピンの長手方向の斜視断面図である。
【図７】さらに別の設計の調節ねじを有する、本発明による連結ピンの長手方向の斜視断面図である。
【図８】さらに別の設計の調節ねじを有する、本発明による連結ピンの長手方向の斜視断面図である。
【発明を実施するための形態】
【００２３】
図１は、二つの武器の構成部品４９、５１、例えば、上側ケース部４９と下側ケース部５１を互いに取り付けるように設計された、本発明による連結ピン１の長手方向の断面図である。連結ピン１は、ヘッド３と、円筒形の連結ピンケース４を備える。ヘッド３には、ヘッド３を貫通する穴８（図２参照）の一つに対応して係止くぼみ（図２参照）として設計された、例えば盲穴または凹部のような凹部７がある。さらに、連結ピンケース４は、中央位置決め領域５と二つの支持領域６ａ、６ｂを備える。
【００２４】
位置決め領域５を形成する、連結ピンケース４に沿って長手方向に延在する部分的テーパ９があり、位置決め領域は、支持領域６ａ、６ｂを形成する盛り上がった区間４１ａ、ｂによってその両側に境界が形成されている。部分的テーパ９すなわち位置決め領域５は、連結ピン１が設置されたときに、武器の構成部品４９上の位置決め面３５が完全に位置決め領域５内、すなわち、盛り上がった区間４１ａ、ｂの間に位置する部分的テーパ９の領域内および支持領域６ａ、６ｂの間に入るような寸法になっている。支持領域６ａ、６ｂ、または盛り上がった区間４１ａ、ｂは、支持するように、武器の構成部品５１の支持面３３ａ、３３ｂ上に作用する。これは、支持領域６ａ、６ｂ、または盛り上がった区間４１ａ、ｂおよび支持面３３ａ、３３ｂが重なる領域／区間にある。部分的テーパ９は、その赤道まで連結ピンケース４に沿って全周にわたって形成されており、この点では、支持面３３ａ、３３ｂに関する位置決め面３５が、長手の軸に対して直角に調整できる。図１ａは、連結ピンケース４上の部分的テーパ９を位置決め面３５に沿って切断した断面（図４のＡ−Ａ断面）で示す図であり、調節ねじ１５が弛緩位置にあり、調節要素１７に対して力をかけていない様子を示す。
【００２５】
あるいは、その代替えの実施形態として、図示しないが、部分的テーパ９の代わりもしくはそれに加え、位置決め面、特に、位置決め面３５の上部を形成するアイレットまたは穴が、支持面３３ａ、３３ｂを形成する穴／アイレットと同等に延在しており、これによって確実に調整が可能となる。
【００２６】
連結ピンケース４の内部には、例えば、盲穴の形態の凹部１１があり、例えば、圧力ばねのようなばね要素１３が挿入される。圧力ばね１３は、円錐形に先細となった腰部を有する調節ねじ１５を、連結ピンの端部１６に向けて締結する。結果として、先細の調節ねじ１５は、テーパから盛り上がる二つの円錐台形の側面１８の一方によって、連結ピンケース１７を半径方向に貫通する穴１９の一方に位置する円錐形状の調節要素１７上に作用する。調節要素１７は、位置決め面３５を調整する。穴１９の外面上の側縁部２０は、調節要素１７が挿入された後に適当に加工される。例えば、かしめ接合、または他のなんらかの手段によって適当に整形され、調節要素１７が完全に穴１９から外れてしまうことを防ぐ。
【００２７】
連結ピン１を作製するため、まず、ばね要素１３と調節ねじ１５を盲穴１１に挿入して予め締め、その後、調節要素１７を外側から穴１９に挿入し、その定位置でかしめ接合する。かしめ接合をすると、連結ピン１は、もはや取り外すことはできなくなる。
【００２８】
さらに、連結ピン１は、例えば、カートリッジまたはペンのような操作装置（図示せず）によって、締結位置（図１参照）と弛緩位置（図４参照）の間で調整することができ、それによって、連結ピン１は、弛緩位置にあるときに武器の構成部品４９、５１に対して取り付け、取り外しが可能となる。締結位置では、連結ピン１は、位置決め面３５を、支持面３３ａ、ｂに関して調整および／または締結し、それによって、武器の構成部品４９、５１を相互に、連結ピン１の取り付け方向に対して直角に締結する（図４〜５参照）。
【００２９】
締結位置では、調節ねじ１５は調節要素１７に作用して、調節要素１７が、少なくとも部分的に、連結ピンケース４の穴１９からはみ出すようになる。それにより、ばね要素１３が軸方向の圧力を調節ねじ１５にかけ、それによって力がそのくさび面１８上で半径方向に増加してその力を調節要素１７に伝達する。よって、力の増加はくさび面１８のくさび／円錐角によって決定される。
【００３０】
図１に示した構成は、締結位置が完全に係合されていないときに関連する構成部品を収容する。調節要素１７は、すでに位置決め面３５（対向面４５ｂ）にある。しかし、まだ、テーパ９の位置決め領域５までは誘導されていない。
【００３１】
図２は、連結ピン１の長手方向の断面図であり、およそ９０°回転した状態を示す。ヘッド３の一側が、およそ連結ピンケース４の直径まで平坦化されている。さらに、長手の溝２１は、連結ピンヘッド３から、円筒型連結ピンケース４に沿って、連結ピンの端部１６に向かって伸びている。ばね型保持ピン２９がばね要素３１によって長手の溝２１に係合している。ばね要素３１は、例えば、圧力ばねとして設計可能である。保持ピン２９は、例えば、下側または上側武器ケース構成部品４９、５１内の、例えば、そのために設計された取り付け具（図示せず）内に取り付け可能である。
【００３２】
保持ピン２９は、ばね起動または連結式で凹部７にスナップ止めされる。凹部７は、小径のヘッド３を貫通する調整穴８によって延長されている。凹部７は、保持ピン２９を解放しやすいように、上側の外壁に傾斜を設けるのが好ましい。
【００３３】
武器の構成部品４９、５１から連結ピン１を後退させる場合、保持ピンを凹部７から解放すれば、長手の溝２１内を、別の凹部または隙間２３が位置するヘッド３から遠い側の長手の溝の端部まで摺動でき、連結ピン１がケース構成部品４９、５１からほぼ完全に取り外されると、長手の溝内でばねによって支持されている保持ピン２９を定位置に係止することができる。凹部２５、例えば、削穴が、隙間２３の下部に位置しており、その直径は、隙間２３より小さく、連結ピンケース４を完全に貫通している。隙間２３は、保持ピン２９を解放しやすいように、上側の外壁に傾斜を設けるのが好ましい。
【００３４】
図１および３〜５は、連結ピン１の様々な組み立て、または分解構成を示す図である。
【００３５】
二つの武器の構成部品４９、５１を取り付けるため、連結ピン１は、二つの支持領域６ａ、６ｂと、二つの支持領域６ａ、６ｂの間に位置する位置決め領域５を備える。これらの支持領域６と位置決め領域５はそれぞれ、武器の構成部品４９、５１の支持面３３ａ、ｂと位置決め面３５と係合することができる。位置決め面３５と支持面３３ａ、ｂは、プレート３３ａ、３３ｂ、および３５として構成または配設されている。プレート３３ａおよび３３ｂは、それぞれ下側ケース部５１上に位置しており、プレート３５は、上側ケース部４９上に位置する。プレート３３ａ、３３ｂ、および３５は、アイレットやヒンジ穴の形態、あるいは他の適した形状でもよく、さらに／または、例えば、ケーシングブロック（図示せず）内の削穴として、ケース構成部品４９、５１に完全に一体化されていてもよい。
【００３６】
プレート３３ａおよび３３ｂの内部には、穴３７ａ、３７ｂがあり、プレート３５は、穴３９を有する。穴３７ａ、ｂ、および３９は互いに図示の位置に対応しており、すべての穴が取り付け具またはヒンジとして配設され、互いに並んだときに、連結ピン１をそれらの中に軸方向に挿入できるようになっている。穴３９は、プレート３３ａ、ｂに対するプレート３５の遊びを十分に調整できるように、穴３７ａ、ｂより直径が大きくてもよい。この場合、拡大したプレート穴が凹部９の役割を果たすため、プレート３５を収容するためまたは調整するための部分的テーパ９は必要ない。連結ピン１の外面と穴３７ａ、ｂの内面は、遊びが限られた状態で連結ピン１が正しく挿入されるように互いに嵌合する。
【００３７】
連結ピン１を取り付けるには、まず、保持ピン２９をケース構成部品４９、５１の一方に、そこから延在しなくなるまで十分押し込む。この位置で、安全要素（図示せず）、例えば、薄板、プレート、またはそれに類似したものを保持ピン２９によって押し込んで、それらをこの位置に係止する。すると、連結ピン１をプレート３３ａ、ｂ、および３５に挿入することができるようになる。連結ピン１は、図３に示すように右側から挿入する。しかし、左から挿入することも可能であり、それによって、この場合は、保持ピン２９は左側に位置することになる。挿入中、連結ピン１は、長手の溝２１が係留された保持ピン２９に対向するように配設される。
【００３８】
図３〜５の右側の図例による連結ピン１を挿入する際、透視図法からわかるように、プレート３３ａ、ｂ、および３５では、連結ピン１はまず、連結ピンケース４から延在する調節要素１７が、プレート３３ｂ（図３参照）に接触する点まで挿入することができる。この位置では、保持ピン２９を固定する安全要素（図示せず）を摺動または取り外して保持ピン２９を解放することができる。その後、ばね要素３１におけるばねの圧力により、保持ピンは、長手の溝２１と係合する。
【００３９】
連結ピン１をプレート３３ａ、ｂ、および３５に完全に挿入するためには、調節要素１７をまず締結位置から弛緩位置に切り替える。そのため、例えば、ペンまたはカートリッジの先端を連結ピンの端部１６から盲穴１１に挿入すればよく、そうすれば、ばね要素１３のばね圧に抗して調節ねじ１５を連結ピン１のヘッド３に向けて押しだすことができる。その結果、調節ねじ１５は、弛緩位置となり、調節要素１７（図４参照）を解除する。同時に、より大きい圧力を連結ピン１のヘッド３にかける。すると、連結ピン１は、ヘッド３に接触するまで、プレート３３ａ、ｂ、および３５内に完全に挿入できるようになる。この位置では、保持ピン２９は、連結ピン１のヘッド３内の凹部７に係止される。このようにして、連結ピン１はまた、例えば、武器を使用する際に、不本意な横方向へのずれが防止される。
【００４０】
カートリッジまたはペンを取り除いた後、ばね要素１３が円錐形の調節ねじ１５を締結位置に摺動させ（図１参照）、調節ねじ１５は調節要素１７をその側面１８によって締結位置まで摺動させる。そのため、調節ねじ１５は、半径方向の力を調節要素１７にかけ、それにより、調節要素１７が部分的に連結ピンケース４から外へ押し出され、その力がプレート３５の反対側の面４５ｂに伝達される。
【００４１】
連結ピン１が完全に挿入されると、凹部９と同等に、連結ピンケース４の隆起した区間４１ａおよび４１ｂが、支持面の対向する面４３ａ、４３ｂ、またはプレート３３ａおよび３３ｂに寄りかかってそれを支持する。さらに、調節要素１７は、位置決め面または対向面４５ｂそれぞれに圧力をかける。一方では支持により、そして他方では圧力により、プレート３５は、プレート３３ａおよび３３ｂに対して下方に押され、プレート３５は、その対向面４５ａによって凹部９に向かって摺動し、締結されるようになる。一般に、凹部９の幅と寸法は、プレート３５、ひいては対向面４５ａの寸法より大きい。このようにして、プレート３３ａおよび３３ｂに対するプレート３５の自由動作範囲が確立する。
【００４２】
プレート３５の摺動および締結の結果、プレート３５と同様に３３ａおよびｂの間、ひいては上側ケース部４９と下側ケース部５１の間の潜在的な遊びが除去される。さらに、追加の連結ピン（図示せず）を、例えば、反対側および／またはケース構成部品４９、５１上の様々な位置に取り付けて、両ケース構成部品４９、５１の間の遊びを完全に除去することができるようになる。
【００４３】
連結ピン１をプレート３３ａおよびｂとプレート３５から取り外す場合、ケース構成部品４９、５１を開くまたは分離するために、例えば、まず、ペンまたはカートリッジ先端を連結ピンの端部１６の盲穴１１に挿入し、連結ピン１のヘッド３に向かって調節ねじ１５上に圧力をかける。その結果、調節ねじ１５は調節要素１７を弛緩位置まで弛緩する。弛緩位置では、連結ピン１はプレート３３ａ、３３ｂ、および３５から取り外すもしくは引き出すことができる。これにより、保持ピン２９の連結式またはばね起動での係止が解除され、凹部７の傾斜により、容易に解除できるようになる。
【００４４】
連結ピン１は、長手の溝２１内を摺動する保持ピン２９が、ヘッド３から遠い側の長手の溝２１の端部に接触する点まで取り出すことができるようになる。この位置で、保持ピン２９は、連結式またはばね起動で長手の溝２１の隙間２３と再び係合する。このように、連結ピン１は、保持ピン２９によりケース構成部品４９、５１の一方、例えば、ケース構成部品５１に堅固に取り付けられる。この位置も、二つのケース構成部品４９、５１を、例えば、それを上方、下方、または側方に回転させることにより、互いから分離させることができる。回転ピン２９は、この位置では長手の溝２１から取り外すことができない。なぜなら、保持ピンが穴２５を通って延在して解除させることがないように調節ねじ１５が穴２５を覆っているからである。連結ピン１を完全に取り除くためには、まず連結ピンをプレート３３ａ、３３ｂおよび３５内の設置位置に戻さなければならない。
【００４５】
設置位置では、例えば細いペンまたはボルトを保持ピン２９から遠い側の端部のヘッド３の穴８に挿入することができる。このようにして、保持ピン２９の端部を押して穴７との係合を解除することができる。
【００４６】
すると、保持ピン２９は、長手の溝２１から、ひいては連結ピン１のヘッド３から保持ピン２９が位置する点まで、完全にヘッド３の外側に押し出される。この位置では、安全要素、例えばスチールプレート（図示せず）をヘッド３の平坦化した区間２７と下側ケース部５１の間に挿入し、それを保持ピン２９の上に設定することが可能であり、よって保持ピン２９が下側ケース部５１に保持されるようになる。上記のような適した圧力を操作装置によって調節ねじ１５にかけると、今度は、プレート３３ａ、３３ｂおよび３５から連結ピン１を取り外すことができるようになる。図６〜８は、調節ねじ１５の別の実施形態を示す。
【００４７】
図６に示す実施形態では、調節ねじ１５は、ヘッド３からその端部まで片側に丸みを付けた（例えば円筒形）側面区間１８′を有する。ばね要素１３側の側面区間１８′の端部が調節要素１７を凹部１９の外の締結位置に押し出す。弛緩位置では、側面区間１８′の中央領域が、調節要素１７の上方に位置するので、調節要素は凹部１９の内部で移動可能である。よって側面部１８′の丸みＲは、調節要素１７の形状、例えばボールの半径ｒに構成されているので、調整の余裕が十分に得られるように、そして同時に側面区間１８′と調節要素１７が互いに解除可能なくさびの関係にあり、それによって調節ねじ１５が解放されないように、または連結ピンが外れないように防いでいる。
【００４８】
図７に示す調節ねじ１５の実施形態では、平坦な側面区間１８を調節ねじ１５の一辺にも形成し、連結ピン１のヘッド３からその端部１６へ、まず、くさび型第１側面区間１８″、続いて軸方向、すなわち、連結ピン１の長手の軸に平行に伸びる第２側面区間１８″′が延在する。締結位置では、くさび型側面区間１８″が調節要素１７を凹部１９から押し出す。弛緩位置では、軸方向に同軸な側面区間１８″′は調節要素１７の上方に位置するので、調節要素１７は凹部１９内で移動可能である。
【００４９】
図８は、調節ねじ１５のさらに別の実施形態を示す図であり、同様に側面区間１８が調節ねじ１５の一辺上に形成されている。側面区間１８は、連結ピン１のヘッド３からその端部１６へ、まず、くさび型第１側面区間１８″、続いて軸方向に伸びる第２側面区間１８″′、続いて最後に、同じくくさび型の第３の側面区間１８″が延在する。よって第２の側面区間１８″′は、軸方向、すなわち連結ピン１の長手の軸に平行に延在させることができる。ばね要素１３に対向するくさび型側面区間１８″は、締結位置にあるときには、調節要素１７を凹部１９の外に押し出す。弛緩位置では、側面区間１８″′は、調節要素１７の上方に位置するので、調節要素は、凹部の内部で自由に移動可能である。
【００５０】
図６〜８に示す側面の外形は、テーパ形状に基づく実施形態と同様に全周にわたって形成可能である。
【００５１】
当業者は、特許請求の範囲から本発明のさらなる実施形態を導き出すことができる。
【符号の説明】
【００５２】
５…位置決め領域、６ａ，ｂ…支持領域、１…連結ピン、１７…調節要素、１５…ばね式調節ねじ、３５…位置決め面、４９，５１…構成部品、１８…くさび型区間、４…連結ピンケース、２９…安全要素、９，２１…凹部、７，２３…係止外形。
【図１】
2012513013.tif 000003
【図１ａ】
2012513013.tif 000004
【図２】
2012513013.tif 000005
【図３】
2012513013.tif 000006
【図４】
2012513013.tif 000007
【図５】
2012513013.tif 000008
【図６】
2012513013.tif 000009
【図７】
2012513013.tif 000010
【図８】
2012513013.tif 000011
【国際調査報告】
2012513013.tif 000012
2012513013.tif 000013
2012513013.tif 000014
2012513013.tif 000015
2012513013.tif 000016
2012513013.tif 000017